(57)【要約】【課題】ビスレス構造とビス有り構造の両仕様に容易に対応できる乗客コンベアの欄干装置を得る。【解決手段】欄干パネル（５）と、スカートガード（２０）と、インナデッキボード（３０）と、断面Ｌ字形状に形成されたレール状部品（７）と、弾性変形可能な樹脂から構成され、インナデッキボードの欄干パネル側の端部と、レール状部品の横板部とを連結するインナパッキング（１０）とを備え、スカートガードは、上端部（４１ｂ）が段曲げされており、インナパッキングは、ネジ座取付用溝が設けられている。【選択図】図２
2014189397.tif 000002
【特許請求の範囲】
【請求項１】
下端部が保持装置に保持された欄干パネルと、
踏段の側面に対向するスカートガードと、
前記欄干パネルと前記スカートガードとの間に設けられたインナデッキボードと、
前記保持部材に固定され、前記欄干パネルに沿って上方に延びた縦板部と、前記縦板部の上端から前記スカートガード側に向かって延びた横板部とを有し、断面Ｌ字形状に形成されたレール状部品と、
弾性変形可能な樹脂から構成され、前記インナデッキボードの前記欄干パネル側の端部と、前記レール状部品の前記横板部とを連結するインナパッキングと
を備え、
前記スカートガードは、前記インナデッキボードと連結される上端部が、前記欄干パネル側に段曲げされており、前記上端部と前記インナデッキボードのスカート側端部との固定に関して、ネジ止めによる締結構造あるいはネジを用いない嵌合構造の両用に対応可能な構造を有し、
前記インナパッキングは、前記インナデッキボードの前記欄干パネル側の端部を前記インナパッキングにネジ固定する際に用いられるネジ座を埋設するためのネジ座取付用溝が設けられており、前記インナデッキボードの前記欄干パネル側の端部と前記インナパッキングとの固定に関して、ネジ止めによる締結構造あるいはネジを用いない嵌合構造の両用に対応可能な構造を有している
乗客コンベアの欄干装置。
【請求項２】
請求項１に記載の乗客コンベアの欄干装置に用いられ、弾性変形可能な樹脂で形成されたインナパッキングであって、
前記レール状部品の前記横板部が挿入されることで、前記パッキングを前記レール状部品に連結固定させるレール状部品取付部と、
前記インナデッキボードの前記欄干パネル側の端部が挿入されるスリット部を有し、前記スリット部に前記端部が挿入されることで、前記インナデッキボードを保持するインナデッキボード取付部と、
前記インナデッキボードの前記欄干パネル側の端部を前記インナパッキングにネジ固定する際に用いられるネジ座を埋設するネジ座取付用溝と
を備え、
前記インナデッキボードの前記欄干パネル側の端部と前記インナパッキングとの固定に関して、ネジ止めによる締結構造を採用する場合には、前記インナデッキボード取付部のスリット部の上部側に相当するカバー部をめくり上げ、前記スリット部に挿入された前記インナデッキボードの前記端部を露出させることで、前記ネジ座取付用溝に埋設された前記ネジ座を利用してボルトによる締結を可能とし、締結後は、めくり上げた前記カバー部を元に戻すことで、前記ボルトの頭が露出しないように覆い隠す構造を備える
インナパッキング。
【請求項３】
請求項１に記載の乗客コンベアの欄干装置に用いられ、押出成型により製造されたインナデッキボードであって、
前記スカートガードの前記上端部と前記インナデッキボードのスカート側端部との固定に関して、ネジを用いない嵌合構造を採用する場合には、前記スカートガードの前記上端部で段曲げされた部分と嵌合するスリット部が、前記スカート側端部に設けられている
インナデッキボード。
【発明の詳細な説明】
【技術分野】
【０００１】
本発明は、例えば、エスカレータや動く歩道等において、踏み段と同期して移動する移動手摺を支持する乗客コンベアの欄干装置、インナパッキング、およびインナデッキボードに関する。
【背景技術】
【０００２】
従来の乗客コンベアの欄干装置におけるビスレス構造としては、インナデッキボードのスカートガード側端部をスカートガードに嵌合させて仮固定しつつ、ガラスパネル側端部を内部に設置したネジ座にネジ固定し、ガラスパネルとインタデッキボードの緩衝材である樹脂パッキングを利用してネジを隠す、という方式がある（例えば、特許文献１〜３参照）。
【先行技術文献】
【特許文献】
【０００３】
【特許文献１】特開２００６−３４７６５０号公報
【特許文献２】特開２００７−３１１１３号公報
【特許文献３】特開２０１１−８８７０５号公報
【発明の概要】
【発明が解決しようとする課題】
【０００４】
しかしながら、従来技術には、以下のような課題がある。
このようなビスレス構造は、ガラスパネル側にネジ座を設ける必要があることから、内部の構造物、例えばガラスを把持する部品（以下ガラス保持具と称す）、からネジ座を伸ばす必要があった。このため、ビスが見えるビス有り構造と比して、製作上、以下の３点の課題が挙げられる。
【０００５】
（１）内部にネジ座を設置するために構造が複雑化し、部品の製作コストが高価となる。
（２）ビスレスかビス有りかの違いが乗客コンベア全体構造に大きく影響することから、１機種１仕様に限定される。例えば「機種Ａはビス有りのみ、機種Ｂはビスレスのみ」というように決まっており、同一機種内での選択肢はない。
【０００６】
（３）インナデッキボードの固定位置がガラス保持具等の内部構造物の配置によって決定されるため、インナデッキボードの長さや配列が内部構造の影響を大きく受ける。それにより、例えば、標準よりも長いインナデッキボードを使用したい場合、あるいは配列を建築に合わせてレイアウトしたい場合などに、インナデッキボードのみの個別設計では対応できず、内部構造ごとの設計が必要となり、設計コストが増大する。
【０００７】
本発明は、前記のような課題を解決するためになされたものであり、ビスレス構造とビス有り構造の両仕様に容易に対応できる乗客コンベアの欄干装置、インナパッキング、およびインナデッキボードを得ることを目的とする。
【課題を解決するための手段】
【０００８】
本発明に係る乗客コンベアの欄干装置は、下端部が保持装置に保持された欄干パネルと、踏段の側面に対向するスカートガードと、欄干パネルとスカートガードとの間に設けられたインナデッキボードと、保持部材に固定され、欄干パネルに沿って上方に延びた縦板部と、縦板部の上端からスカートガード側に向かって延びた横板部とを有し、断面Ｌ字形状に形成されたレール状部品と、弾性変形可能な樹脂から構成され、インナデッキボードの欄干パネル側の端部と、レール状部品の横板部とを連結するインナパッキングとを備え、スカートガードは、インナデッキボードと連結される上端部が、欄干パネル側に段曲げされており、上端部とインナデッキボードのスカート側端部との固定に関して、ネジ止めによる締結構造あるいはネジを用いない嵌合構造の両用に対応可能な構造を有し、インナパッキングは、インナデッキボードの欄干パネル側の端部をインナパッキングにネジ固定する際に用いられるネジ座を埋設するためのネジ座取付用溝が設けられており、インナデッキボードの欄干パネル側の端部とインナパッキングとの固定に関して、ネジ止めによる締結構造あるいはネジを用いない嵌合構造の両用に対応可能な構造を有しているものである。
【発明の効果】
【０００９】
本発明によれば、インナデッキボードの欄干パネル側端部の固定に用いるインナパッキングと、インナデッキボードのスカートガード側端部の固定に用いるスカートガードを、ビスレス構造とビス有り構造の両仕様で共用化し、仕様に応じてインナデッキボードを個別設計することにより、ビスレス構造とビス有り構造の両仕様に容易に対応できる乗客コンベアの欄干装置、インナパッキング、およびインナデッキボードを得ることができる。
【図面の簡単な説明】
【００１０】
【図１】本発明の実施の形態１に係るエスカレータの乗場出入口を示す斜視図である。
【図２】本発明の実施の形態１における図１に示した欄干装置の一例を示す断面図である。
【図３】本発明の実施の形態１における図１に示した欄干装置の別の例を示す断面図である。
【図４】本発明の実施の形態１におけるインナパッキングの構成を説明するための断面図である。
【図５】本発明の実施の形態１における図４とは別の構成を備えたインナパッキングの構成を説明するための断面図である。
【図６】本発明の実施の形態１におけるインナデッキボードの形状の一例を示した断面図である。
【発明を実施するための形態】
【００１１】
以下、本発明の乗客コンベアの欄干装置、インナパッキング、およびインナデッキボードの好適な実施の形態につき図面を用いて説明する。
【００１２】
実施の形態１．
図１は、本発明の実施の形態１に係るエスカレータの乗場出入口を示す斜視図である。図１において、乗客コンベアの一例であるエスカレータは、循環移動する踏段１と、踏段１の移動経路に沿って設けられた欄干装置（乗客コンベアの欄干装置）２とを備えている。
【００１３】
欄干装置２は、主枠３に固定された保持装置４と、保持装置４に下端部が保持された欄干パネル５と、欄干パネル５に設けられ、踏段１とともに循環移動する手摺６とを備えている。欄干パネル５は、ガラスから構成されている。なお、欄干パネル５は、ガラスに限らず、例えば、ステンレス等から構成されてもよい。
【００１４】
保持装置４は、主枠３に固定され、欄干パネル５を支持した支持部材４ａと、支持部材４ａに対向して設けられた押え板４ｂとを有している。押え板４ｂが欄干パネル５を支持部材４ａに対して押圧することにより、欄干パネル５が保持装置４に固定される。
【００１５】
図２は、本発明の実施の形態１における図１に示した欄干装置２の一例を示す断面図であり、ビス有り構造の具体例を示している。図２における欄干装置２は、踏段１の側面に対向したスカートガード２０と、欄干パネル５とスカートガード２０との間に設けられたインナデッキボード３０と、インナデッキボード３０の欄干パネル５側の端部３０ａに設けられたインナパッキング１０とを備えて構成されている。
【００１６】
そして、図２（ａ）は、インナデッキボード３０が、欄干パネル５とスカートガード２０との間の隙間を埋めるように取り付けられた後の状態を示している。一方、図２（ｂ）は、インナデッキボード３０が、欄干パネル５とスカートガード２０との間に取り付けられる前の状態を示している。さらに、この図２では、インナデッキボード３０がスカートガード２０に対してネジ止めされるビス有り構造となっている。
【００１７】
インナパッキング１０の詳細構成については、図３、図４を用いて後述するが、このインナパッキング１０は、欄干パネル５の近傍の全長に渡って配置されるように保持装置４に固定されたレール状部品７に取り付けられる構造を有している。より具体的には、レール状部品７は、欄干パネル５に沿って上方に延びた縦板部と、縦板部の上端からスカートガード２０側に向かって延びた横板部とを有し、断面Ｌ字形状に形成されている。
【００１８】
そして、レール状部品７のＬ字形状に曲げられた部分に、インナパッキング１０が取り付けられることで、インナパッキング１０が欄干パネル５側に固定され、容易に抜けないようにすることができる。
【００１９】
さらに、欄干パネル５側に固定されたインナパッキング１０は、インナデッキボード３０の欄干パネル５側の端部３０ａを保持するスリット部（図３、図４で後述するスリット部１０ｃに相当）を有している。従って、インナデッキボード３０の端部３０ａは、特に加工する必要がなく、スリット部に挿入されるだけで、保持されている。
【００２０】
一方、インナデッキボード３０のスカートガード２０側の端部３０ｂと、スカートガード２０の上端部２０ａとは、ボルト４１ａとクリップ付きナット４１ｂを用いてネジ止めされる。具体的には、インナデッキボード３０のスカートガード２０側の端部３０ｂには、皿穴３０ｂ１が設けられている。また、スカートガード２０の上端部２０ａは、段曲げされており、長穴２０ａ１が設けられている。
【００２１】
そして、ボルト４１ａが、皿穴３０ｂ１、長穴２０ａ１を貫通して、スカートガード２０の上端部２０ａに取り付けられたクリップ付きナット４１ｂと締結されることで、インナデッキボード３０の端部３０ｂと、スカートガード２０の上端部２０ａとがネジ止めされ、ビス有り構造となる。
【００２２】
これに対して、図３は、本発明の実施の形態１における図１に示した欄干装置２の別の例を示す断面図であり、ビスレス構造の具体例を示している。図３における欄干装置２は、踏段１の側面に対向したスカートガード２０と、欄干パネル５とスカートガード２０との間に設けられたインナデッキボード３１と、インナデッキボード３１の欄干パネル５側の端部３１ａに設けられたインナパッキング１０とを備えて構成されている。
【００２３】
そして、図３（ａ）は、インナデッキボード３１が、欄干パネル５とスカートガード２０との間の隙間を埋めるように取り付けられた後の状態を示している。一方、図３（ｂ）は、インナデッキボード３１が、欄干パネル５とスカートガード２０との間に取り付けられる前の状態を示している。さらに、この図３では、インナデッキボード３１がスカートガード２０に対してネジ止めなしに固定されるビスレス構造となっている。
【００２４】
インナパッキング１０およびレール状部品７の構造は、図２におけるビス有り構造に用いられるものと同一である。ただし、先の図２に示したビス有り構造の場合には、インナデッキボード３０の端部３０ａは、インナパッキング１０に設けられたスリット部に挿入される形で保持されていた。
【００２５】
これに対して、図３に示したビスレス構造では、インナデッキボード３０の端部３０ａが、インナパッキング１０にネジ止め固定される構造を有している。具体的には、インナデッキボード３０の欄干パネル５側の端部３１ａには、皿穴３１ａ１が設けられている。また、インナパッキング１０は、図３、図４を用いて後述するように、ネジ座であるナット４２ｂが、インナパッキング１０内に埋設できる構成となっている。
【００２６】
そして、ボルト４２ａが、皿穴３１ａ１を貫通して、インナパッキング１０内に埋設されたナット４２ｂと締結されることで、インナデッキボード３１の端部３１ａと、インナパッキング１０とがネジ止めされる。
【００２７】
一方、インナデッキボード３１のスカートガード２０側の端部３１ｂと、スカートガード２０の上端部２０ａとは、ネジ止めではなく、嵌合構造により連結される。具体的には、インナデッキボード３０のスカートガード２０側の端部３１ｂは、段曲げされたスカートガード２０の上端部２０ａと嵌合するためのスリット３１ｂ１が設けられている。そして、上端部２０ａとスリット３１ｂ１とを嵌合させることで、ビスレス構造により、インナデッキボード３１とスカートガード２０が結合されることとなる。
【００２８】
このように、本願発明では、図２に示したビス有り構造の場合と、図３に示したビスレス構造の場合とで、インナパッキング１０とスカートガード２０とを、共用化することができる。この結果、乗客コンベア全長に対して、インナデッキボード３０の長さ、配列を自由に個別設計することが可能となる。
【００２９】
さらに、ビス有り構造とビスレス構造の両仕様において、スカートガード２０の上端部２０ａは、インナデッキボード３０（３１）との境界部分において段曲げされており、ステップに相対する面よりもインナデッキボード３０（３１）の板厚程度、またはそれ以上に引退している。これにより、欄干組立後に、インナデッキボード３０（３１）がスカートガード２０の前面より突出することをなくすことができる。
【００３０】
一方、インナデッキボードに関しては、図２に示したビス有り構造の場合には、端部３０ｂ側に皿穴３０ｂ１が設けられ、スカートガード２０の上端部２０ａとネジ止めされるインナデッキボード３０が用いられる。また、図３に示したビスレス構造の場合には、端部３１ａ側に皿穴３１ａ１が設けられ、インナパッキング１０とネジ止めされるインナデッキボード３１が用いられる。すなわち、インナデッキボードのみの個別設計により、ビスレス構造とビス有り構造の両仕様に対応している。
【００３１】
次に、図４、図５を用いて、ビス有り構造とビスレス構造とで共用化を図っているインナパッキング１０の構造について、詳細に説明する。図４は、本発明の実施の形態１におけるインナパッキング１０の構成を説明するための断面図である。具体的には、図４（ａ）は、インナパッキング１０単体での断面構図を示しており、図４（ｂ）は、インナパッキング１０がＬ字形状のレール状部品７に取り付けられるとともに、インナデッキボード３１とネジ止めされる組立の様子を示している。
【００３２】
図４に示したインナパッキング１０は、レール状部品挿入部１０ａを有するレール状部品取付部１０ｂと、スリット部１０ｃおよびカバー部１０ｄを有するインナデッキボード取付部１０ｅと、ネジ座を嵌合するＣ字形を有するネジ座取付用溝１０ｆを備えて構成されている。このようなインナパッキング１０は、軟質樹脂押出成型品として形成される。
【００３３】
レール状部品取付部１０ｂは、レール状部品挿入部１０ａから挿入されたレール状部品７の横板部と嵌合することで、インナパッキング１０を欄干パネル５側に固定する役割を果たす。また、インナデッキボード取付部１０ｅは、スリット部１０ｃから挿入されたインナデッキボード３１の端部３１ａを保持する役割を果たす。さらに、ネジ座取付用溝１０ｆは、先の図３に示したビスレス構造において、ネジ座であるナット４２ｂを埋設させるための空間である。
【００３４】
ここで、インナデッキボード取付部１０ｅに挿入されたインナデッキボード３１の端部３１ａをネジ止めする際には、軟質樹脂で形成されているカバー部１０ｄをめくり上げる。その後、ボルト４２ａを、皿穴３１ａ１を貫通して、インナパッキング１０内に埋設されたナット４２ｂと締結し、締結後に、カバー部１０ｄを被せることで、図３（ａ）に示したような組み付け後の状態とすることができる。
【００３５】
なお、図４では示していないが、先の図２に示したビス有り構造を採用する場合には、インナデッキボード３０をインナパッキングにネジ止めする必要はない。従って、この場合には、ナット４２ｂをネジ座取付用溝１０ｆに埋設しておく作業と、カバー部１０ｄをめくってボルト４２ａによるネジ止めを行う作業は不要となる。ただし、インナパッキング１０としては、ビス有り構造、ビスレス構造のいずれに対しても、共用化することができる。
【００３６】
次に、図５は、本発明の実施の形態１における図４とは別の構成を備えたインナパッキング１０の構成を説明するための断面図である。具体的には、図５（ａ）は、インナパッキング１０単体での断面構図を示しており、図５（ｂ）は、インナパッキング１０がＬ字形状のレール状部品７に取り付けられるとともに、インナデッキボード３１とネジ止めされる組立の様子を示している。
【００３７】
図５に示したインナパッキング１０は、レール状部品挿入部１０ａを有するレール状部品取付部１０ｂと、スリット部１０ｃおよびカバー部１０ｄを有するインナデッキボード取付部１０ｅと、ネジ座を嵌合するＣ字形を有するネジ座取付用溝１０ｆを備えて構成されている。このようなインナパッキング１０は、軟質樹脂押出成型品として形成される。
【００３８】
ここで、図４と図５を比較すると、レール状部品取付部１０ｂ、インナデッキボード取付部１０ｅ、およびネジ座取付用溝１０ｆをそれぞれ備えている点、およびそれらの役割は、両図で共通である。ただし、それぞれの部品の配置が異なっている。
【００３９】
具体的には、先の図４におけるインナパッキング１０は、インナデッキボード取付部１０ｅの下にネジ座取付用溝１０ｆが設けられ、さらに最下段にレール状部品取付部１０ｂが設けられている。これに対して、図５におけるインナパッキング１０は、インナデッキボード取付部１０ｅの下にレール状部品取付部１０ｂが設けられ、さらに最下段にネジ座取付用溝１０ｆが設けられている。
【００４０】
図５の構成においては、インナデッキボード３１の端部３１ａとナット４２ｂとの間にレール状部品７を挟む配置となっている。このため、インナデッキボード３１の固定部分のインナパッキング１０やレール状部品７に、穴あけ加工が必要になる。しかしながら、図５の構成では、レール状部品７とインナデッキボード３１とを共締めすることができ、図４の構造と比較して、より強固にインナデッキボード３１を固定することが可能となる。
【００４１】
次に、インナデッキボードの構成について、図面を用いて詳細に説明する。図６は、本発明の実施の形態１におけるインナデッキボードの形状の一例を示した断面図であり、インナデッキボード３１を例に示している。
【００４２】
このようなインナデッキボード３１は、アルミ等の押出成型品で形成される。そして、インナデッキボード３１の端部３１ｂ（スカートガード２０側の端部に相当）は、段曲げされたスカートガード２０の上端部２１ａと嵌合するためのスリット３１ｂ１が設けられている。
【００４３】
さらに、このスリット３１ｂ１の根元には、スカートガード２０の上端部２１ａと嵌合する際に弾性変形するための逃げ３１ｂ２が設けられている。また、スリットの幅Ｗｓは、自然状態でスカートガード厚さＷｇよりも僅かに小さく設定されている。これにより、スカートガード２０と嵌合させた際に、常にスカートガード２０の上部を把持する力を発生させ、微小な動き等を抑える働きを持たせることができる。
【００４４】
また、スリットの下端付近には、スカートガード２０の上端部２０ａの段曲げ部に嵌合する凸部３１ｂ３が設けられている。これにより、スカートガード２０に対するインナデッキボード３１の高さ方向の位置決め機能と、一度嵌合したインナデッキボード３１が容易に抜ける事象を防止する機能とを持たせることができる。
【００４５】
また、インナデッキボード３１の端部３１ａ付近には、押出成型後の後加工にて、固定に用いる皿ネジ４２ａが突出しないサイズの皿穴３１ａ１を設けている。この皿ネジ４２ａの頭は、運転時には、軟質樹脂製のインナパッキング１０で隠蔽されている。一方、保守時など必要に応じてカバー部１０ｄをめくることで、皿ネジ４２ａの頭を露出させてドライバー操作を行うことができる。
【００４６】
従って、図４あるいは図５で示したインナパッキング１０と、図６で示したインナデッキボード３１とを用いることで、ビスの頭が露出しない、意匠性に優れた構造となり、乗客の衣類などが引っかかる事故のリスクを低減できる。
【００４７】
以上のように、実施の形態１によれば、内部構造が単純化されビス有り構造と大差の無いコストでビスレス構造が構築可能となる。そして、ビス有りとビスレスとで内部構造の殆どを共通化できる。これにより、同一機種内で、２種類のデッキボード構造が選択可能となる。例えば、「安価な標準仕様としてのビス有りデッキボード」と「より安全な高付加価値仕様としてのビスレスデッキボード」というような製品ラインナップを提供可能となる。
【００４８】
また、乗客コンベア設置後に、小規模な改造によって欄干構造をビス有りからビスレス構造へ更新するといった対応も可能となる。さらに、インナパッキングの位置を変更することで、インナデッキボードの固定位置を自由に設定できる。このため、デッキボードの長さや配置のレイアウト自由度が増し、特殊な配置の場合でも、最低限の個別設計で対応可能となる。
【符号の説明】
【００４９】
１  踏段、２  欄干装置、３  主枠、４  保持装置、５  欄干パネル、６  手摺、７  レール状部品、１０  インナパッキング、１０ａ  レール状部品挿入部、１０ｂ  レール状部品取付部、１０ｃ  スリット部、１０ｄ  カバー部、１０ｅ  インナデッキボード取付部、１０ｆ  ネジ座取付用溝、２０  スカートガード、２０ａ  上端部、２０ａ１  長穴、３０  インナデッキボード、３０ａ  端部、３０ｂ  端部、３０ｂ１  皿穴、３１  インナデッキボード、３１ａ  端部、３１ａ１  皿穴、３１ｂ  端部、３１ｂ１  スリット、４１ａ  ボルト、４１ｂ  ナット、４２ａ  ボルト（皿ネジ）、４２ｂ  ナット。
【図１】
2014189397.tif 000003
【図２】
2014189397.tif 000004
【図３】
2014189397.tif 000005
【図４】
2014189397.tif 000006
【図５】
2014189397.tif 000007
【図６】
2014189397.tif 000008